(57)【要約】    【課題】ボタン本体の割れを防止しつつ、外周を金属で装飾することにより高級感を得る。    【解決手段】（ａ）割れやすい素材を切削、穿孔、研磨加工して得られるボタン本体（２）と、（ｂ）断面がＣ字状の曲線部を有するリング（３１）と、このリングの下方に突出する脚部（３２）からなる第１支持部品（３）と、（ｃ）環状底部（４２）と、この環状底部（４２）の外周部に立ち上がる起立部（４３）からなる第２支持部品（４）とを有する。前記ボタン本体（２）の周縁上面は、前記環状底部（４２）の上側先端部により押し付けられ、前記ボタン本体（２）の側部（２４）は、リング（３１）の曲線部により押し付けられることにより一体化されている。【選択図】図１
2008073145.tif 000002
【特許請求の範囲】
【請求項１】
割れやすい素材を使用したボタン（１）であって、
割れやすい素材を切削、穿孔、研磨加工して得られるボタン本体（２）と、
断面Ｃ字状曲線部を有するリング（３１）と、このリングの下方に突出する脚部（３２）からなる第１支持部品（３）と、
環状底部（４２）と、この環状底部（４２）の外周部に立ち上がる起立部（４３）からなる第２支持部品（４）と
を有し、
前記ボタン本体（２）の周縁上面は、前記環状底部（４２）の上側先端部により押し付けられ、前記ボタン本体（２）の側部（２４）は、前記リング（３１）の前記曲線部により押し付けられることにより一体化されていることを特徴とする割れやすい素材を使用したボタン（１）。
【請求項２】
生地（５）を挟んで雄部材又は雌部材（６）がかしめられた請求項１記載のボタン。
【請求項３】
割れやすい素材を使用したボタン（１Ａ）であって、
割れやすい素材を切削、穿孔、研磨加工して得られるボタン本体（２Ａ）と、
環状底部（４２Ａ）と、この環状底部（４２Ａ）の外周部に立ち上がる起立部（４３Ａ）からなる支持部品（４Ａ）と
を有し、
前記起立部（４３Ａ）先端がボタン周縁上面に押し付けられて一体化されていることを特徴とする割れやすい素材を使用したボタン（１Ａ）。
【請求項４】
割れやすい素材を使用したボタン（１）の製法であって、
割れやすい素材を切削、穿孔、研磨加工して得られるボタン本体（２）と、
断面Ｃ字状のリング（３１）と、このリングの下方に突出する脚部（３２）からなる第１支持部品（３）と、
環状底部（４２）と、この環状底部（４２）の外周部に立ち上がる起立部（４３）からなる第２支持部品（４）
のそれぞれを用意する第１工程と、
前記ボタン本体（２）を前記リング（３１）に乗せ、前記リング（３１）を前記環状底部（４２）に乗せる第２工程と、
前記環状底部（４２）と前記起立部（４３）とを上下からかしめて、間にリング（３１）を挟み込む第３工程
を有することを特徴とする割れやすい素材を使用したボタンの製法。
【請求項５】
生地（５）を挟んで雄部材又は雌部材（６）とかしめる第４工程をさらに有する請求項４記載の製法。
【請求項６】
割れやすい素材を使用したボタン（１Ａ）の製法であって、
割れやすい素材を切削、穿孔、研磨加工して得られるボタン本体（２Ａ）と、
環状底部（４２Ａ）と、この環状底部（４２Ａ）の外周部に立ち上がる起立部（４３Ａ）からなる支持部品（４Ａ）
を用意する第１工程と、
ボタン本体（２Ａ）を第２支持部品（４Ａ）の環状底部（４２Ａ）上に置き、起立部（４３Ａ）をボタン周縁上面にくるめるようにして押し倒す第２工程
を有することを特徴とする割れやすい素材を使用したボタンの製法。
【発明の詳細な説明】
【技術分野】
【０００１】
本発明は、割れやすい素材（例えば、貝類等の動植物起源の割れやすい素材や宝石又は模造宝石等）を表面装飾体として使用したボタン及びその製法に関する。
【背景技術】
【０００２】
上記割れやすい素材、宝石又は模造宝石等の装飾体をはめ込んだボタンは、婦人服、袋物、履物等に使用すると華やかさや高級感を醸し出すことができるので好まれている。
【０００３】
従来、装飾体をボタンに取り付ける構造としては、下記特許文献１に開示されるように、リング状に形成され下部に複数の脚を有する固定体に円板状の装飾体を脚側から嵌め込み、固定体の脚を被装飾体に貫通させて屈曲させ固定しているものがあった。
【０００４】
下記特許文献２や３に開示されるものは、底面が平坦に形成された装飾体の外周縁を保持し固定する皿状の保持体よりなり、この保持体の下部に穿設されている貫通孔に糸が通され、糸付けによって被装飾体に固定されるものである。
【０００５】
下記特許文献４に開示されるように、貫通孔が穿設されたビーズ状の装飾体を、中央に糸通し孔が穿設された糸付けボタンに取り付けたものがあった。この装飾体の貫通孔には糸が通されており、糸付けボタンの糸通し孔を介して被装飾体に糸付けで固定するものである。
【０００６】
下記特許文献５に開示されるように、下部が錐形に形成された装飾体を、表面に凹部が形成されたボタンに、その下部が埋没するように嵌め込み接着固定し、このボタンを糸付けによって被装飾体に固定しているものがあった。
【０００７】
本出願人も特許文献６において、錐形のパビリオン部を有する装飾体と、装飾体が保持される保持部を有する固定部とで構成され、被装飾体に取付け固定される装飾具を開示している。固定部は、保持部から装飾体のキューレットを囲み延出する筒状の挿通部が設けられている雄部と、挿通部が挿通される挿通孔を有する雌部とで構成され、挿通部を被装飾体に穿設される貫通孔に貫通させ、雄部と雌部とをかしめて被装飾体に固定している。
【特許文献１】実開平３−３１３０７号公報
【特許文献２】実開平４−２０８号公報
【特許文献３】実開平４−７４００８号公報
【特許文献４】実用新案登録第３０８６５８８号公報
【特許文献５】実開平２−５０２０５号公報
【特許文献６】特開２００４−３３７３５４公報
【発明の開示】
【発明が解決しようとする課題】
【０００８】
上記特許文献６では、その従来技術の欄において、先行する特許文献１−５の欠点を分析して指摘している（同公報［００１０］−［００１７］参照）。その中では先行技術の欠点とされておらず、特許文献６自身も免れていない欠点がある。それは、装飾体を表面部材に埋め込む工程及び装飾体を埋め込んだ表面部材をボタン本体に取り付ける工程において、力をかけたときに装飾体が欠けたり、割れたりしやすいということである。装飾体は、貝類や宝石のようにカットしたガラス加工品であることが多いが、これが金属の爪や縁部で強く押圧されるからである。そのため、製造がかなりの程度職人技となり、装飾ボタンの大量生産や衣服等へのボタン取付の自動化が困難であった。
【０００９】
本発明は、上記課題を解消するために、装飾体を表面部材に埋め込む工程及び装飾体を埋め込んだ表面部材をボタン本体に取り付ける工程において、装飾体が欠けたり、割れたりしないような装飾体の取付方法、及びそれに使用するボタン表面部材を提供することを目的とする。
【課題を解決するための手段】
【００１０】
本発明の割れやすい素材を使用したボタンは、第１の観点（請求項１）では、
割れやすい素材を切削、穿孔、研磨加工して得られるボタン本体と、
断面Ｃ字状のリングと、このリングの下方に突出する脚部からなる第１支持部品と、
環状底部と、この環状底部の外周部に立ち上がる起立部からなる第２支持部品と
を有し、
前記ボタン本体の周縁上面は、前記環状底部の上側先端部により押し付けられ、前記ボタン本体の側部は、リングの曲線部により押し付けられることにより一体化されていることを特徴とする。
【００１１】
第２の観点（請求項３）では、本発明の割れやすい素材を使用したボタンは、
割れやすい素材を切削、穿孔、研磨加工して得られるボタン本体と、
環状底部と、この環状底部の外周部に立ち上がる起立部からなる支持部品と
を有し、
前記起立部がボタン周縁上面に押し付けられて一体化されていることを特徴とする。
【００１２】
本発明の割れやすい素材を使用したボタンの製法は、第１の観点（請求項４）では、
割れやすい素材を切削、穿孔、研磨加工して得られるボタン本体と、
断面Ｃ字状のリングと、このリングの下方に突出する脚部からなる第１支持部品と、
環状底部と、この環状底部の外周部に立ち上がる起立部からなる第２支持部品
のそれぞれを用意する第１工程と、
前記ボタン本体を前記リングに乗せ、前記リングを前記環状底部に乗せる第２工程と、
前記環状底部と前記起立部とを上下からかしめて、間に前記リングを挟み込む第３工程
を有することを特徴とする。
【００１３】
本発明の割れやすい素材を使用したボタンの製法は、第２の観点（請求項６）では、
割れやすい素材を切削、穿孔、研磨加工して得られるボタン本体と、
環状底部と、この環状底部の外周部に立ち上がる起立部からなる支持部品
を用意する第１工程と、
ボタン本体を第２支持部品の環状底部上に置き、起立部をボタン周縁上面にくるめるようにして押し倒す第２工程
を有することを特徴とする。
【発明の効果】
【００１４】
第１及び第３の観点（請求項１及び４）による発明では、ボタン本体と第１，第２部品を結合させるときには、本来ボタン本体にかかるはずの力が第１部品と第２部品との係合圧力に転化させられる。さらに、雌部材とかしめるときには、本来ボタン本体にかかるはずの力が、第１，２部材の脚部と雌部材の脚部との係合圧力に転化させられる。したがって、ボタン本体には大きな力が加わらず、ボタン本体は割れにくくなる。
【００１５】
同時に、ボタン本体の周囲が金属で装飾されるので、高級感が得られる。
【００１６】
第２及び第４の観点（請求項３及び６）による発明では、ボタン本体２Ａと第１支持部品４Ａを一体化させるのは単に周辺部をくるめるだけであるから、大きな力は加わらない。
【００１７】
したがって、本来ならボタン本体にかかるはずの力が緩和され、ボタン本体が割れにくくなる。同時に、ボタン本体の周囲及び糸通し孔周囲が金属で装飾されるので、高級感が得られる。
【発明を実施するための最良の形態】
【００１８】
ボタン本体を構成する割れやすい素材は、貝類や動物の角・牙・骨など動植物起源の天然素材、宝石又は模造宝石である。貝類としては、例えばアコヤ貝を使用することができ、模造宝石は、クリスタルガラス加工品であることが多い。例えば、業界では、製造会社名に由来する「スワロフスキー」（商標）という名で知られているクリスタルガラス加工品を使用することができる。
【００１９】
第１及び第３の観点（請求項１及び４）による発明では、使用に当たっては、生地を挟んで雄部材又は雌部材とかしめる第４工程が付加される。
【００２０】
第１部品ないし第４部品は曲げや圧延に強い金属であればよく、例えばステンレス鋼や真鍮を使用することができる。
【００２１】
以下、添付の図面に基づき、本発明の実施例を説明する。
【実施例１】
【００２２】
図１（ａ）は、本発明の第１実施例に係る脚部付きボタン１の正面図、（ｂ）は断面図である。
【００２３】
ボタン本体２は、割れやすい素材（貝類等の天然素材、宝石又は模造宝石）を使用している。これは、中央に糸通し孔２２が４つ、それらをつなぐ線状窪み２３を有する円板２１である。円板２１の外周には斜めに切り込まれた側部２４が設けられている。このボタン本体２は、定法により、前記割れやすい素材を切削、穿孔、研磨加工して得られる。線状窪み２３は、糸で生地に取付けるとき（後記第２実施例参照）は糸の通り道となり、本実施例のようにスナップボタンとして使用するときは、予めフェイク（装飾目的）の糸を設定する場所として使用できる。
【００２４】
図１に示すように、ボタン本体２の周囲は金属で縁取られている。金属部分は２部品からなる。第１支持部品３と第２支持部品４は、図１（ｂ）に示すように、絡み合ってボタン本体を支持している。
【００２５】
第１支持部品３は、図２（ｂ）に示すように、横断面がＣ字状の曲線部を有するリング３１で、下方に尖った先端を有する脚部３２が複数設けられている。
【００２６】
第２支持部品４は、図２（ｃ）に示すように、中央に大きくくり抜かれた開口部４１を有する皿状であり、環状底部４２と外周の起立部４３からなる。
【００２７】
次に図１（ｂ）により、このボタンの製造方法を説明する。
【００２８】
まず、第１支持部品３のリング３１を第２支持部品４の環状底部４２に乗せる。次いで、ボタン本体２をリング３１に乗せて、図１（ｂ）に矢印で示すように、環状底部４２と起立部４３とを上下からかしめて、間にリング３１を挟み込む。
【００２９】
このとき、ボタン本体２の周縁上面は、環状底部４２の上側先端部により押し付けられ、ボタン本体２の切り込まれた側部２４は、リング３１の曲線部により押し付けられる。このようにして、三者は一体化する。
【００３０】
その後、図３（ａ）に示すように、第１支持部品３付きのボタン本体２を、打ち付け機械（Ｍ１，Ｍ２）により、生地５を挟んで、雄雌部材（この例では雌部材６）と一体化させる。この作業により、雌部材６と脚部３２が強固にかしめられる（図３（ｂ）参照）。したがって、このボタンにおいては、糸通し孔２２は糸を通す本来の目的には使用することができない。これは、単なる装飾であって、いわゆるフェイクである。
【００３１】
この実施例では、図１（ｂ）に示すように、ボタン本体と第１，第２部品を結合させるときには、本来ボタン本体にかかるはずの力が第１部品と第２部品との係合圧力に転化させられる。さらに、図３（ｂ）に示すように、雌部材とかしめるときには、本来ボタン本体にかかるはずの力が、第１，２部材の脚部３２と雌部材の脚部との係合圧力に転化させられる。したがって、ボタン本体には大きな力が加わらず、ボタン本体は割れにくくなる。同時に、ボタン本体の周囲が金属で装飾されるので、高級感が得られる。
【００３２】
なお、上記説明では、各部品の結合に時間差を設けるように記述しているが、すべてを同時に行うこともでき、できればその方が能率的である。
【実施例２】
【００３３】
図４は、脚部のないボタン１Ａであって、本発明の第２実施例の正面図と断面図である。第１実施例と異なるのは、第１支持部品を使用しないことである。図５（ａ）（ｂ）は、このボタンの展開斜視図、（ａ）’（ｂ）’は、各断面図である。
【００３４】
第２支持部品４Ａは、中央に大きくくり抜かれた開口部４１Ａを有する皿状であり、環状底部４２Ａと外周部に起立部４３Ａからなる。
【００３５】
ボタン本体２Ａと第２支持部品４Ａを一体化するには、ボタン本体２Ａを第２支持部品４Ａの環状底部４２Ａ上に置き、起立部４３Ａをボタン周縁上面にくるめるようにして押し倒す。起立部４３Ａの先端はボタン本体２Ａの周縁上部に押し付けられる。
【００３６】
この実施例では、第１実施例と異なり、糸通し孔２２Ａは、糸で生地に取り付けるという本来の目的に使用することができる。
【００３７】
この実施例では、加工の際、本来ボタン本体にかかるはずの力が分散される。すなわち、ボタン本体２Ａと第１支持部品４Ａを一体化させるのは単に周辺部をくるめるだけであるから、大きな力は加わらない。
【００３８】
したがって、本来ならボタン本体にかかるはずの力が緩和され、ボタン本体が割れにくくなる。同時に、ボタン本体の周囲及び糸通し孔周囲が金属で装飾されるので、高級感が得られる。
【００３９】
第１実施例と第２実施例は、外部正面から見たときよく似た外観を有する。衣服に取り付けたとき、第１実施例では、糸通し孔に、着色剤で糸を描いたり、フェイクの糸を通したりすることにより、第２実施例とほぼ同一の外観にすることができる。第１実施例と第２実施例を適宜組み合わせることにより、意表をつくようなデザインの衣服を開発することができる。
【図面の簡単な説明】
【００４０】
【図１】（ａ）は、本発明の第１実施例にかかる脚部付きボタンの正面図、（ｂ）は断面図である。
【図２】（ａ）〜（ｃ）は、本発明の第１実施例にかかる脚部付きボタンの展開斜視図、（ａ）’〜（ｃ）’は、各断面図である。
【図３】第１実施例のボタンと雌部材とを結合させる状態を示す断面図である。（ａ）は結合前、（ｂ）は結合後である。
【図４】本発明の第２実施例の正面図（ａ）と断面図（ｂ）である。
【図５】（ａ）（ｂ）は、第２実施例のボタンの展開斜視図、（ａ）’（ｂ）’は、各断面図である。
【符号の説明】
【００４１】
１，１Ａ      ボタン
２，２Ａ      ボタン本体
２１，２１Ａ  円板
２２，２２Ａ  糸通し孔
２４    ボタン本体側部
３     第１支持部品
３１   リング
３２   脚部
４，４Ａ      第２支持部品
４１，４１Ａ  開口部
４２，４２Ａ  環状底部
４３，４３Ａ  起立部
５     生地
６     雌部材
【図１】
2008073145.tif 000003
【図２】
2008073145.tif 000004
【図３】
2008073145.tif 000005
【図４】
2008073145.tif 000006
【図５】
2008073145.tif 000007